(57)【要約】      （修正有）【課題】天井裏の様子を詳細に確認でき、これを記録することで、天井ボード切断工事を遅滞なく行うことができるモニタ装置を提供する。【解決手段】伸縮棹２０と、伸縮棹２０の一方端に設けられる撮像部３２と、伸縮棹２０の他方端に設けられ、撮像部３２で取得された画像を表示する表示部５１と、伸縮棹２０の他方端に設けられ、撮像部３２で取得された画像を記録する記録部５０と、からなることを特徴とする。【選択図】図１
0003184252.tif 000002
【実用新案登録請求の範囲】
【請求項１】
長尺棒状部材と、
前記長尺棒状部材の一方端に設けられる撮像部と、
前記長尺棒状部材の他方端に設けられ、前記撮像部で取得された画像を表示する表示部と、
前記長尺棒状部材の他方端に設けられ、前記撮像部で取得された画像を記録する記録部と、からなることを特徴とするモニタ装置。
【請求項２】
前記長尺棒状部材の一方端には投光部が設けられることを特徴とする請求項１に記載のモニタ装置。
【請求項３】
前記長尺棒状部材の他方端には集音部が設けられ、前記集音部によって集音された音声が前記記録部に記録されることを特徴とする請求項１又は請求項２に記載のモニタ装置。
【請求項４】
前記長尺棒状部材が伸縮可能であることを特徴とする請求項１乃至請求項３のいずれか１項に記載のモニタ装置。
【請求項５】
前記撮像部がビデオカメラであることを特徴とする請求項１乃至請求項４のいずれか１項に記載のモニタ装置。
【請求項６】
前記撮像部が赤外線ビデオカメラであることを特徴とする請求項１乃至請求項４のいずれか１項に記載のモニタ装置。
【考案の詳細な説明】
【技術分野】
【０００１】
本考案は、既存建物の天井裏に新たに配管・配線を増設する場合に、天井裏の既設物の確認を行うために用いるモニタ装置に関する。
【背景技術】
【０００２】
既存建物の天井裏に新たに配管・配線を増設するため、天井ボードを切断し、これに開口部を設けるような場合には、天井裏の既設物を前記開口部形成時に破損しないようにしなければならない。このため、天井に開口を形成する準備段階として、天井裏の既設物の位置を確認する作業が必要となる。
【０００３】
特許文献１（特開２０１３−４０５４０号公報）には、建物の屋内に設けられた天井板の裏側（天井裏）に存在する各種配線や配管等の不具合、または雨漏りの有無などを点検するために、天井板に孔を設けておき、その孔の周縁部に、天井裏にアクセスするための点検口を設ける点が開示されている。
【特許文献１】特開２０１３−４０５４０号公報
【考案の概要】
【考案が解決しようとする課題】
【０００４】
しかしながら、全ての建物で上記のような点検口が必ず設けられているわけではなく、天井に設けられているダウンライトを取り外してできる、直径およそ１２０ｍｍ程度の開口からしか天井裏を覗く手段がないような現場もある。
【０００５】
このような場合、従来、当該開口から天井裏を目視しようとしても、限りがあり、新たに配管・配線を増設するために天井ボードを切断する工事が難航することがたびたびあり、問題であった。
【課題を解決するための手段】
【０００６】
上記のような課題を解決するために、請求項１に係る考案は、長尺棒状部材と、前記長尺棒状部材の一方端に設けられる撮像部と、前記長尺棒状部材の他方端に設けられ、前記撮像部で取得された画像を表示する表示部と、前記長尺棒状部材の他方端に設けられ、前記撮像部で取得された画像を記録する記録部と、からなることを特徴とするモニタ装置である。
【０００７】
また、請求項２に係る考案は、請求項１に記載のモニタ装置において、前記長尺棒状部材の一方端には投光部が設けられることを特徴とする。
【０００８】
また、請求項３に係る考案は、請求項１又は請求項２に記載のモニタ装置において、前記長尺棒状部材の他方端には集音部が設けられ、前記集音部によって集音された音声が前記記録部に記録されることを特徴とする。
【０００９】
また、請求項４に係る考案は、請求項１乃至請求項３のいずれか１項に記載のモニタ装置において、前記長尺棒状部材が伸縮可能であることを特徴とする。
【００１０】
また、請求項５に係る考案は、請求項１乃至請求項４のいずれか１項に記載のモニタ装置において、前記撮像部がビデオカメラであることを特徴とする。
【００１１】
また、請求項６に係る考案は、請求項１乃至請求項４のいずれか１項に記載のモニタ装
置において、前記撮像部が赤外線ビデオカメラであることを特徴とする。
【考案の効果】
【００１２】
本考案に係るモニタ装置は、前記長尺棒状部材の一方端に設けられる撮像部と、前記長尺棒状部材の他方端に設けられ、前記撮像部で取得された画像を表示する表示部と、前記長尺棒状部材の他方端に設けられ、前記撮像部で取得された画像を記録する記録部と、を有しており、このような本考案に係るモニタ装置によれば、ダウンライトを取り外してできる、直径およそ１２０ｍｍ程度の開口から、天井裏の様子を詳細に確認することができると共に、これを記録しておくことも可能であり、新たに配管・配線を増設するために天井ボードを切断する工事を遅滞なく行うことができる。
【図面の簡単な説明】
【００１３】
【図１】本考案の実施形態に係るモニタ装置１０を示す図である。
【図２】本考案の実施形態に係るモニタ装置１０の利用形態を説明する図である。
【考案を実施するための形態】
【００１４】
以下、本考案の実施の形態を図面を参照しつつ説明する。図１は本考案の実施形態に係るモニタ装置１０を示す図である。
【００１５】
本考案に係るモニタ装置１０に用いる長尺棒状部材としては、伸縮自在の伸縮棹２０を用いると、取り扱い上便利であるが、必ずしも伸縮性を有するものでなくとも良い。
【００１６】
本実施形態では、伸縮自在の伸縮棹２０の一方端には、動画を撮影することができるビデオカメラなどの撮像部３２と、暗い天井裏に対して投光を行う投光部３１が設けられている。
【００１７】
なお、撮像部３２として、通常のビデオカメラを用いることもできるが、撮像部３２として、赤外線ビデオカメラを用いることもできる。
【００１８】
伸縮棹２０の他方端の端部は、モニタ装置１０を持つ際に使われる取手部２５が設けられており、この取手部２５の近傍には、撮像部３２で取得された画像を表示する表示部５１と、撮像部３２で取得された画像を記録する記録部５０と、が配されている。表示部５１、記録部５０を構成するためには、表示部５１と記録部５０とが含まれているモニタ付きレコーダーを用いると、簡便である。また、取手部２５の近傍には、マイクロフォンなどの集音部５３を設けておき、集音部５３で集音された音声データは、撮像部３２で取得された画像データと共に記録部５０に記録する。
【００１９】
伸縮棹２０にはさらにバッテリーパック５７が設けられており、各構成に対して、ケーブル３５などを介して給電を行い得るようになっている。ケーブル３５は、撮像部３２で取得された画像データを記録部５０に送信する伝送路としても用いられる。
【００２０】
次に、以上のように構成される、本考案に係るモニタ装置１０の利用方法について説明する。図２は本考案の実施形態に係るモニタ装置１０の利用形態を説明する図である。
【００２１】
既存建物の天井裏に新たに配管・配線を増設するため、天井ボードを切断し、これに開口部を設けるような場合には、天井裏の既設物を前記開口部形成時に破損しないようにしなければならない。このため、天井に開口を形成する準備段階として、天井裏の既設物の位置を確認する作業が必要となる。
【００２２】
このような作業を行う際には、まず、ダウンライトを取り外してできる、直径およそ１
２０ｍｍ程度の開口を確保する。
【００２３】
次に、利用者は取手部２５を持ち、伸縮棹２０の一方端に設けられている撮像部３２と投光部３１とを、確保された前記開口から差し入れて、天井裏の画像データを取得する。撮像部３２で取得された画像データは、表示部５１で表示されると共に、記録部５０で記録される。
【００２４】
この際、利用者は「１１階１１０１会議室前ダウンライトにおける開口を東の方向を向いて撮影中」などとコメントしておくと、集音部５３により当該コメントが記録部５０で記録されるので、工事のための計画を後に立てる際に役立つ。
【００２５】
以上のように、本考案に係るモニタ装置１０は、長尺棒状部材の一方端に設けられる撮像部３２と、前記長尺棒状部材の他方端に設けられ、前記撮像部３２で取得された画像を表示する表示部５１と、前記長尺棒状部材の他方端に設けられ、前記撮像部３２で取得された画像を記録する記録部５０と、を有しており、このような本考案に係るモニタ装置１０によれば、ダウンライトを取り外してできる、直径およそ１２０ｍｍ程度の開口から、天井裏の様子を詳細に確認することができると共に、これを記録しておくことも可能であり、新たに配管・配線を増設するために天井ボードを切断する工事を遅滞なく行うことができる。
【符号の説明】
【００２６】
１０・・・モニタ装置
２０・・・伸縮棹
２５・・・取手部
３１・・・投光部
３２・・・撮像部
３５・・・ケーブル
５０・・・記録部
５１・・・表示部
５３・・・集音部
５７・・・バッテリーパック
【図１】
0003184252.tif 000003
【図２】
0003184252.tif 000004